(57)【要約】  【課題】適切な整地作業ができる農作業機を提供する。  【解決手段】農作業機１は、トラクタに連結する機体２を備える。機体２には、整地体７を上下方向に回動可能に設ける。整地体７の左右方向端部には、延長整地体11を上下方向に回動可能に設ける。延長整地体11は、後端側のみが圃場面に線状に接した状態で整地作業をする。  【選択図】図１
2006217877.tif 000002
【特許請求の範囲】
【請求項１】
機体と、
この機体に上下方向に回動可能に設けられた整地体と、
この整地体の左右方向端部に上下方向に回動可能に設けられた延長整地体とを備え、
前記延長整地体は、圃場面に線状に接した状態で整地作業をする
ことを特徴とする農作業機。
【請求項２】
延長整地体は、圃場面側に向って凹状をなす複数の凹状部を有する
ことを特徴とする請求項１記載の農作業機。
【請求項３】
複数の凹状部は、互いに隣接して左右方向に並んで位置する
ことを特徴とする請求項２記載の農作業機。
【請求項４】
延長整地体に設けられこの延長整地体より下方に突出するスプリングレーキを備える
ことを特徴とする請求項１ないし３のいずれか一記載の農作業機。
【発明の詳細な説明】
【技術分野】
【０００１】
本発明は、適切な整地作業ができる農作業機に関するものである。
【背景技術】
【０００２】
従来、例えばトラクタに連結される機体と、機体に回転可能に設けられた耕耘体と、機体に上下方向に回動可能に設けられた整地体と、整地体の左右方向端部に上下方向に回動可能に設けられ圃場面に面状に接した状態で整地作業をする延長整地体（延長レーキ）とを備えた農作業機が知られている（例えば、特許文献１参照）。
【特許文献１】特開平６−３３５３０３号公報
【発明の開示】
【発明が解決しようとする課題】
【０００３】
しかしながら、上記従来の農作業機のように延長整地体が圃場面に面状に接した状態で整地作業をする構成では、水、土、雑物（稈等）が延長整地体から側方に逃げやすいという問題がある。
【０００４】
本発明は、このような点に鑑みなされたもので、水、土、雑物（稈等）が延長整地体から側方に逃げにくく、適切な整地作業ができる農作業機を提供することを目的とする。
【課題を解決するための手段】
【０００５】
請求項１記載の農作業機は、機体と、この機体に上下方向に回動可能に設けられた整地体と、この整地体の左右方向端部に上下方向に回動可能に設けられた延長整地体とを備え、前記延長整地体は、圃場面に線状に接した状態で整地作業をするものである。
【０００６】
そして、延長整地体が圃場面に線状に接した状態で整地作業をする構成であるから、従来に比べて水、土、雑物（稈等）が延長整地体から側方に逃げにくく、適切な整地作業が可能である。
【０００７】
請求項２記載の農作業機は、請求項１記載の農作業機において、延長整地体は、圃場面側に向って凹状をなす複数の凹状部を有するものである。
【０００８】
そして、延長整地体が圃場面側に向って凹状をなす複数の凹状部を有するため、水、土、雑物（稈等）の側方への逃げを効果的に防止可能である。
【０００９】
請求項３記載の農作業機は、請求項２記載の農作業機において、複数の凹状部は、互いに隣接して左右方向に並んで位置するものである。
【００１０】
そして、延長整地体の複数の凹状部が互いに隣接して左右方向に並んで位置するため、水、土、雑物（稈等）の側方への逃げをより効果的に防止可能である。
【００１１】
請求項４記載の農作業機は、請求項１ないし３のいずれか一記載の農作業機において、延長整地体に設けられこの延長整地体より下方に突出するスプリングレーキを備えるものである。
【００１２】
そして、延長整地体より下方に突出するスプリングレーキにて、稈等の雑物を圃場面下の土中に適切に埋め込むことが可能である。
【発明の効果】
【００１３】
請求項１に係る発明によれば、延長整地体が圃場面に線状に接した状態で整地作業をする構成であるから、従来に比べて水、土、雑物（稈等）が延長整地体から側方に逃げにくく、適切な整地作業ができる。
【００１４】
請求項２に係る発明によれば、延長整地体が圃場面側に向って凹状をなす複数の凹状部を有するため、水、土、雑物（稈等）の側方への逃げを効果的に防止できる。
【００１５】
請求項３に係る発明によれば、延長整地体の複数の凹状部が互いに隣接して左右方向に並んで位置するため、水、土、雑物（稈等）の側方への逃げをより効果的に防止できる。
【００１６】
請求項４に係る発明によれば、延長整地体より下方に突出するスプリングレーキにて、稈等の雑物を圃場面下の土中に適切に埋め込むことができる。
【発明を実施するための最良の形態】
【００１７】
本発明の農作業機の一実施の形態を図面を参照して説明する。
【００１８】
図１において、１は農作業機で、この農作業機１は、走行車であるトラクタ（図示せず）に連結して使用する牽引式の代掻き機である。そして、農作業機１は、トラクタの後部に連結された状態で、トラクタの走行により圃場を前方に移動しながら、代掻作業および土引作業を選択的に行うものである。
【００１９】
農作業機１は、トラクタの後部の３点リンク部（作業機昇降装置）に連結される機体２を備えている。
【００２０】
そして、機体２の左右のチェーンケース部３およびブラケット部４間には、入力軸側からチェーン等からなる伝動手段を介して動力を受けて所定方向に回転しながら耕耘作業をするロータリ式の耕耘体（図示せず）が回転可能に設けられている。耕耘体は、左右方向に長手状の耕耘軸およびこの耕耘軸に放射状に設けられた耕耘爪を有している。
【００２１】
また、機体２の耕耘カバー部５の後端部には、耕耘体の後方位置で圃場面に追従するように上下方向に回動しながら整地作業をする略板状の整地体７が弾性板であるゴム板８を介して上下方向に回動可能に設けられている。整地体７は、第１整地板（均平板）９およびこの第１整地板９の後端部に上下回動可能に設けられた第２整地板（レーキ）10を有している。
【００２２】
さらに、整地体７の第２整地板10の左右方向両端部には、後端側のみが圃場面Ａに線状に接した状態で整地作業をする左右一対の略板状の延長整地体（延長レーキ）11が前後方向の回動軸を中心として作業位置および非作業位置間で上下方向に回動可能に設けられている。なお、延長整地体11は、非作業時には邪魔にならないよう整地体７上の非作業位置まで回動させて折り畳めるようになっている。
【００２３】
ここで、延長整地体11は、図２ないし図４に示すように、前後端側がそれぞれ上方側に向けて折り曲げられ作業状態で前上り傾斜状をなす整地本体板部12と、この整地本体板部12に設けられ整地体７の第２整地板10の左右方向端部に連結される連結部13とを有している。
【００２４】
整地本体板部12は、後端側下面部に圃場面Ａに線状に接する左右方向に直線状の接地部15を有している。また、整地本体板部12は、圃場面Ａ側に向って凹状で前後方向に長手状をなす複数、例えば４本の凹状部16を有し、これら複数の凹状部16は互いに所定間隔をおいて左右方向に並んで位置する。
【００２５】
次に、上記農作業機１の作用等を説明する。
【００２６】
農作業機１を使用して代掻作業をする場合、左右の延長整地体11を前後方向の回動軸を中心として作業位置まで回動させて作業状態に設定する。
【００２７】
この状態で、農作業機１全体をトラクタの走行により前方に移動させると、耕耘体にて耕耘作業が行われ、整地体７および延長整地体11にて整地作業が行われる。この際、延長整地体11は、その後端側の接地部15のみが圃場面Ａに線状に接した状態で整地作業をする。
【００２８】
したがって、農作業機１によれば、従来の構成に比べて水、土、雑物（稈等）が延長整地体11から外側方に逃げにくく、水、土、雑物（稈等）を延長整地体11の内側に流れ込ませかつ後方にスムーズに流出させることができ、よって、適切な整地作業ができる。
【００２９】
また、延長整地体11は、図５ないし図７に示すものでもよい。
【００３０】
図５ないし図７に示す延長整地体11は、下方に凸の湾曲状に形成され作業状態で前上り傾斜状をなす整地本体板部21と、この整地本体板部21に設けられ整地体７の第２整地板10の左右方向端部に連結される連結部22とを有している。整地本体板部21は、後端下面部に圃場面Ａに線状に接する左右方向に略波状の接地部（図５中、斜線で示す部分）23を有している。また、整地本体板部21は、圃場面Ａ側に向って凹状で頂上24および傾斜面25を有して山形状をなす複数、例えば４つの凹状部26を有し、これら複数の凹状部26は互いに隣接して左右方向に並んで位置する。
【００３１】
そして、この延長整地体11を備えた構成では、水、土、雑物（稈等）が延長整地体11から外側方により一層逃げにくく、水、土、雑物（稈等）を延長整地体11の内側に流れ込ませかつ後方にスムーズに流出させることができ、しかも複数の凹状部26が互いに隣接して左右方向に並んで位置するため、水、土、雑物（稈等）の側方への逃げをより効果的に防止でき、よって、より一層適切な整地作業ができる。
【００３２】
また、延長整地体11は、図８ないし図１０に示すように、整地本体板部21の後端に、接地部23の一部を構成する略Ｖ字の水平状の平面部31が複数、例えば３つ形成されたものでもよい。この場合、圃場面Ａに線状に接する左右方向に略波状の接地部（図８中、斜線で示す部分）23の接地面積が上記図５に示すものに比べてやや大きくなっている。なお、ここでいう線状に接するとは、厳密な意味で線状に接する場合のほか、略線状に接する場合も含む意味である。
【００３３】
そして、この延長整地体11を備えた構成でも、上記図５に示す場合と同様、水、土、雑物（稈等）が延長整地体11から外側方により一層逃げにくく、水、土、雑物（稈等）を延長整地体11の内側に流れ込ませかつ後方にスムーズに流出させることができ、しかも複数の凹状部26が互いに隣接して左右方向に並んで位置するため、水、土、雑物（稈等）の側方への逃げをより効果的に防止でき、よって、より一層適切な整地作業ができる。
【００３４】
また一方、図１１ないし図１３に示すように、下端側が延長整地体11の整地本体板部21より下方に突出し稈等の雑物を圃場面Ａ下の土中に埋め込む複数本の棒状のスプリングレーキ33を延長整地体11に設けてもよい。
【００３５】
すなわち、整地本体板部21の上面部には保持部34が設けられ、整地本体板部21の所定位置にはレーキ挿通用孔が設けられ、スプリングレーキ33が保持部34に保持され、このスプリングレーキ33の下端側がレーキ挿通用孔を通って整地本体板部21より下方に突出している。そして、スプリングレーキ33を設けた場合、このスプリングレーキ33にて稈等の雑物を圃場面Ａ下の土中に適切に埋め込むことができる。
【００３６】
なお、図示しないが、図４に示す延長整地体11、或いは図７に示す延長整地体11にスプリングレーキ33を設けてもよい。
【００３７】
また、整地体７の左右方向両端部に延長整地体（延長レーキ）11が設けられた構成に限定されず、整地体７の左右方向両端部のいずれか一方のみに延長整地体11が設けられた構成でもよい。
【図面の簡単な説明】
【００３８】
【図１】本発明の農作業機の一実施の形態の平面図である。
【図２】同上農作業機の延長整地体の平面図である。
【図３】同上延長整地体の後面図である。
【図４】同上延長整地体の側面図である。
【図５】本発明の他の実施の形態の延長整地体の平面図である。
【図６】同上延長整地体の後面図である。
【図７】同上延長整地体の側面図である。
【図８】本発明のさらに他の実施の形態の延長整地体の平面図である。
【図９】同上延長整地体の後面図である。
【図１０】同上延長整地体の側面図である。
【図１１】本発明のさらに他の実施の形態の延長整地体およびスプリングレーキの平面図である。
【図１２】同上延長整地体およびスプリングレーキの後面図である。
【図１３】同上延長整地体およびスプリングレーキの側面図である。
【符号の説明】
【００３９】
１    農作業機
２    機体
７    整地体
11    延長整地体
16，26    凹状部
33    スプリングレーキ
Ａ    圃場面
【図１】
2006217877.tif 000003
【図２】
2006217877.tif 000004
【図３】
2006217877.tif 000005
【図４】
2006217877.tif 000006
【図５】
2006217877.tif 000007
【図６】
2006217877.tif 000008
【図７】
2006217877.tif 000009
【図８】
2006217877.tif 000010
【図９】
2006217877.tif 000011
【図１０】
2006217877.tif 000012
【図１１】
2006217877.tif 000013
【図１２】
2006217877.tif 000014
【図１３】
2006217877.tif 000015